(57)【要約】【課題】家庭から出るゴミの入ったゴミ袋や分別ゴミ類などを指定されたゴミ収集場所まで手に持って運ぶことを解消するために、また、高齢者の労力の負担を解消するために、重い物や長物類、及び複数個の積載ができるもので、落下を防止してゴミ収集場所まで運ぶことができる機能と構造を兼ね備えた家庭用ゴミ出し運搬車を提供する。【解決手段】直立する本体フレーム１にネット３とガードフレーム４、４′を取り付け、台座２を支持する支え棒６、６′をガードフレーム４、４′に挿入させた受け具５、５′に取り付け、ガードフレーム４、４′の下方に受け具５、５′を受け止める係止具９、９′を取り付け、本体フレーム１の下方に車輪１２、１２′と台座２を取り付け、台座２に支え棒６、６′を取り付け、本体フレーム１と台座２をバネ１８、１８′で係合させ、それらの構成された各部を係合させ連係させて積載と折り畳みがワンタッチで形成されるとともに、コンパクトに収納できることを特徴とする。【選択図】  図７
2005289344.tif 000002
【特許請求の範囲】
【請求項１】
直立する任意形状の本体フレーム（１）の左右のフレーム間に下方部から上方部まで任意形状のネット（３）を装着し、本体フレーム（１）の左右に任意形状のガードフレーム（４）（４′）を突設させて取り付け、そのガードフレーム（４）（４′）に中空形状を備えた上下左右に滑動する任意形の受け具（５）（５′）を挿入させて取り付け、その受け具（５）（５′）の平板部に任意形の台座（２）を支持する左右の任意形の支え棒（６）（６′）を挿通させる受け具孔（７）（７′）を設け、その受け具孔（７）（７′）に支え棒（６）（６′）の上方部を挿通させ任意形にして取り付け、留め具（８）（８′）で支え棒（６）（６′）が摺動できるように留め、さらに、ガードフレーム（４）（４′）の下方に受け具（５）（５′）を制止して定置させる任意形の係止具（９）（９′）を所要位置に取り付け、各部を係合させ連係させて台座（２）の積載と折り畳みを可能にさせ、また、直立する本体フレーム（１）の下方の左右に突設して設けた車軸板（１０）（１０′）を車輪の外径が本体フレーム（１）の下端より上方に位置するように設けて、本体フレーム（１）の左右の下端を地面に接地させて運搬車の立ち上がりを容易にするとともに、その車軸板（１０）（１０′）に車軸（１１）を取り付け、車軸（１１）の両端部に車輪（１２）（１２′）を取り付けて搬出走行を可能にし、車軸板（１０）（１０′）の下方に突設して設けた台座取り付け板（１３）（１３′）と留め金具（１４）（１４′）で台座端部に設けた突設板（１５）（１５′）を係合させて台座（２）を取り付け、台座取り付け板（１３）（１３′）と突設板（１５）（１５′）が係合摺動して台座（２）の折り畳みを容易にさせ、さらに、本体フレーム（１）の下方端部の左右にバネ取り付け板（１６）（１６′）を設け、台座（２）の左右側端に逆Ｌ字形状の台座バネ取り付け板（１７）（１７′）を設けてバネ（１８）（１８′）を取り付け、台座（２）の左右側端に支え棒（６）（６′）を取り付けるための支え棒取り付け板（１９）（１９′）を突設させて設け、その支え棒取り付け板（１９）（１９′）に設けた支え棒取り付け孔（２０）（２０′）に支え棒（６）（６′）の下方部を挿通させ任意形にして取り付け、台座（２）の前面の左右下部に任意形の脚部（２４）（２４′）を設け、さらに、台座（２）の上面に任意形の台座板（２１）を台座内部に設けた逆Ｌ字形状の任意数の留め板（２２）に任意数の台座板留め具（２３）で固定させ、且つ台座内部に任意形、任意数の補強板（２５）（２５′）を設けて成ることを特徴とする家庭用ゴミ出し運搬車。
【発明の詳細な説明】
【技術分野】
【０００１】  本発明は、家庭から出されるゴミの入ったゴミ袋や指定された分別ゴミ類を複数個の積載ができ、重い物から長物まで積載できる構造と、落下を防止する機能を兼ね備えたコンパクトに収納できる家庭用ゴミ出し運搬車に関するものである。
【背景技術】
【０００２】  従来、一般家庭における家庭ゴミの出し方は、指定された分別のゴミ類を、指定された日に、指定された収集時間内に、指定されたゴミ収集場所まで持って行かなければならない。その家庭ゴミの搬出方法としては、ゴミの入ったゴミ袋や分別ゴミ類を自分の手で持ってゴミ収集場所まで運ぶ方法が圧倒的に多く、重いゴミ袋や結束された新聞紙や雑誌類、樹木や雑草、及び、資源ゴミや埋め立てゴミ類、また、ゴミ袋が複数個の場合や雨の日など肉体的にも相当な労力と時間を強いられ、特に、高齢者においては重いゴミ袋や複数個ある場合はゴミ収集場所までの遠近に関係なくゴミの搬出は肉体的にも精神的にも苦痛であり重労働である。また、家庭ゴミを搬出するのに自転車や一輪車、或いは台車やカート類、また、自動車などを使って運搬する人もいるが年齢や道路環境、生活環境などで利用者も少数に限られ、大部分は上記したように家庭ゴミを手に持って運ぶ方法であり、従来、家庭から出されるゴミの入ったゴミ袋や分別ゴミ類などを指定されたゴミ収集場所まで搬出する家庭ゴミ搬出専用の運搬車はなく、不便であった。
【発明の開示】
【発明が解決しようとする課題】
【０００３】  解決しようとする問題点は、家庭から出るゴミの入ったゴミ袋や指定された分別のゴミ類をゴミ収集場所まで手に持って運ぶ点であり、重いゴミ袋や分別ゴミ類、複数個のゴミ袋などは肉体的にも相当な労力の負担と時間を強いられ、特に、高齢者においては肉体的にも精神的にも相当な負担であり苦痛的な重労働である。また、自転車や一輪車でゴミ袋や分別ゴミ類などを運搬した場合、自転車はゴミ袋１個を載せても不安定な状態となり事故に遭う危険性も高く、また、一輪車も両手を使って搬出するが走行バランスが不安定であり、複数個のゴミ袋を積載して搬出すれば揺れや振動でゴミ袋などが落下しやすく、台車やカート類も同様であり、自動車で運搬するにしても朝の通勤時間帯でのゴミ出しは道路交通状況からして駐停車中での事故に遭う危険性が高く利便性は低い。従来、それらの代用車の利用は年齢や道路環境、及び生活環境によって限りがあり、その代用車を使ってのゴミ出しの利便性は低く不充分である。従来において、いろいろな物品を運ぶための専用の運搬車や台車、及びカート類などは種類も多く市販されているが、家庭から出るゴミの入ったゴミ袋や指定された分別ゴミ類をゴミ収集場所まで運ぶための家庭ゴミ搬出専用の運搬車はなく、市販もされていない点である。
【課題を解決するための手段】
【０００４】  本発明は、家庭から出るゴミの入ったゴミ袋や指定された様々な分別ゴミ類を複数個の積載ができ、また、落下を防止し安定してゴミ収集場所まで運搬するために、直立する本体フレームの左右のフレーム間に下方部から上方部までゴミ袋の複数積載と長物の積載、及び落下防止の役を有するネットを装着し、本体フレームの左右にゴミ袋の落下を防止するガードフレームを突設させて取り付け、そのガードフレームの左右に中空形状を備えた上下左右に滑動する支え棒の受け具を挿入させて取り付け、台座の左右端部に支え棒を取り付ける支え棒取り付け板を取り付けて、その受け具と支え棒取り付け板に支え棒を取り付け、それらの各部を係合させ連係させて台座のゴミ袋の積載と折り畳みを可能にさせ、さらに、支え棒はゴミ袋の安定と落下を防止する役を有し、台座を支える左右の支え棒は運搬する時は直立する本体フレームの前面に位置し、台座の折り畳みでは本体フレームの側面に位置する利便機能性を持ち、直立する本体フレームの左右の下端より上方に車輪を取り付けて運搬車の搬出走行を容易にするとともに、本体フレームの左右の下端を地面に接地させることにより運搬車の立ち上がりを容易にさせ、また、台座を地面近くに位置するように取り付けているので台座の積載と搬出が容易にでき、さらに、左右の支え棒で台座を支えているので重いゴミ袋や分別ゴミ類の重い物などを容易に積載して運ぶことが可能であり、また、直立する本体フレームの左右のフレーム間にネットを下方部から上方部まで装着することにより長尺のある分別ゴミ類を積載して搬出することもでき、さらに、各部を係合させ連係させることによりゴミ袋や分別ゴミ類などの複数個の積載可能と、落下を防止し、安定して手軽にゴミ収集場所まで押し引きして搬出することができる機能を兼ね備えた利便性の高い構造体であり、また、台座を折り畳めることによりコンパクトに収納できることを特徴とする。
【発明の効果】
【０００５】  本発明の、家庭用ゴミ出し運搬車は、直立する本体フレームの左右のフレーム間に下方部から上方部までネットを装着することにより、ゴミ袋や分別ゴミ類を複数個の積載と、長尺のある分別ゴミ類まで積載できるとともに搬出時での落下を防止することができ、本体フレームの左右にガードフレームを取り付けて搬出走行時での揺れや振動に対してゴミ袋や分別ゴミ類などの落下を防ぎ、ガードフレームと台座を連係する支え棒も落下を防ぐものであり、また、台座を支える左右の支え棒により重いゴミ袋や分別ゴミ類の重い物などを容易に積載して搬出することができ、また、台座を地面近くに位置するように取り付けているので台座の積載と搬出が容易にでき、さらに、運搬車は片手で押し引きして搬出することができるため、雨の日などは手に持ってゴミ出しをすることなく、傘をさして濡れずに複数個のゴミ出しを手軽に搬出することができるなど、運搬車は各部を係合させ連係させて、それらの機能と構造を利用してゴミ袋や分別ゴミ類を複数個積載することができ、長物や重い物なども積載できるものであり、搬出時での落下を防止し、安定した積載状態で、指定されたゴミ収集場所へ簡単にして手軽に運ぶことができる効果を有し、また、台座を支える左右の支え棒は、運搬する時は直立する本体フレームの前面に位置し、台座の折り畳みでは本体フレームの側面に位置することにより、運搬車の保管時においてはコンパクトに収納することができ、また、家庭のゴミ出しをする使用時においても折り畳んでいる台座を開くことにより、係合され連係されている各部が相互作用してゴミ袋や分別ゴミ類を積載できる形状に形成するものであり、ワンタッチ操作で、台座の折り畳みと積載、及び落下の防止を形成するなどの機能性と構造を合わせ持つ簡単にして利便性の高い効果を有する。
【発明を実施するための最良の形態】
【０００６】  発明を実施するための最良の形態を実施例にもとづき図面を参照して説明する。
図１において、直立する本体フレーム１は軽量な金属類を用いて任意形状に形成加工されたり、或いはプラスチック等の強度のある軽量な材質を用いて任意形状に形成加工するものであり、その本体フレームの高さは一般家庭がゴミ出しに使用するゴミの入った状態での一般的なゴミ袋丈の３倍程度である。また、本体フレーム１の左右のフレーム間の横幅はゴミ袋幅の１／２程度の横幅を有している。また、各構成素材は金属類の材質を用いて形成加工したものを使用するものであり、或いは、プラスチック類などの材質を用いて使用することもできる。さらに、本体フレーム１の左右のフレーム間に下方部から上方部まで任意形状のネット３を装着させることにより複数個の積載と落下を防止する役を有するものであり、また、本体フレーム１の左右に任意形状に形成したガードフレーム４、４′を突設させて取り付けることで、複数個の積載と落下の防止の役を有する。さらに、そのガードフレーム４、４′に中空形状を備えた上下左右に滑動する任意形の受け具５、５′を挿入させて取り付け、受け具５、５′の平板部に任意形の台座２を支持する左右の任意形の支え棒６、６′を挿通させる受け具孔７、７′を設け、その受け具孔７、７′に支え棒６、６′の上方部を挿通させ任意形にして取り付け、留め具８、８′で支え棒６、６′が摺動できるように留め、さらに、ガードフレーム４、４′の下方に受け具５、５′を制止して定置させる任意形の係止具９、９′を支え棒６、６′から連係される台座２が直立する本体フレーム１に対して水平に位置するよう所要位置に取り付けることにより、それらの各部を係合させ連係させて台座２の積載と折り畳み、及び落下の防止をワンタッチで形成して成る機能と構造を有している。【０００７】  図２において、直立する本体フレーム１の下方の左右に突設して設けた車軸板１０、１０′を車輪の外径が本体フレーム１の下端より上方に位置するように設けることにより、家庭ゴミを積載した運搬車をゴミ収集場所で容易に立ち上がらせることができるものであり、本体フレーム１の左右の下端を地面に接地させて運搬車の立ち上がりを容易にするとともに、その車軸板１０、１０′に車軸１１を取り付け、車軸１１の両端部に車輪１２、１２′を取り付けて搬出走行を可能にさせる。さらに、車軸板１０、１０′の下方に突設して設けた台座２を取り付けるための台座取り付け板１３、１３′と留め金具１４、１４′で台座端部に設けた突設板１５、１５′を係合させて台座２を取り付け、台座取り付け板１３、１３′と突設板１５、１５′が係合摺動して台座２の積載と折り畳みを容易にさせるものである。この任意形の台座２は金属類等の材質を用いて各部を形成して使用するものであり、また、強度のあるプラスチック類等の材質を用いて台座構造を一体化に成型加工したものを台座取り付け板１３、１３′に取り付けて使用することも可能である。【０００８】  図３、及び図４において、本体フレーム１の下方端部の左右にバネ取り付け板１６、１６′を設け、台座２の左右側端に逆Ｌ字形状の台座バネ取り付け板１７、１７′を設けてバネ１８、１８′を取り付ける。このバネ１８、１８′を取り付けることにより本体フレーム１と台座２の開いた状態での相��の安定と、折り畳んだ状態の安定を緩まずに保持させるものである。また、台座２の左右側端に支え棒６、６′を取り付けるための支え棒取り付け板１９、１９′を突設させて設け、その支え棒取り付け板１９、１９′に設けた支え棒取り付け孔２０、２０′に支え棒６、６′の下方部を挿通させ任意形にして取り付けて台座２に積載されたゴミ袋や分別ゴミ類を支持するものである。【０００９】  図５、及び図６において、本体フレーム１に取り付けられた任意形の台座２は、台座２の上面に任意形の台座板２１を台座内に設けた逆Ｌ字形状の任意数の留め板２２に任意数の留め具２３で留めて固定するものである。この台座板２１は金属類、或いは、プラスチック類等の材質を用いて形成加工したものを使用するものである。さらに、台座２の前面の左右下部に任意形の脚部２４、２４′を設ける。その際は、この脚部２４、２４′の下端と本体フレーム１の左右の下端が同一水平位置となるように設けて台座２が開いた時に水平状態となるように設定するものである。また、台座内部に台座２と台座板２１を補強するために任意数、任意形の補強板２５、２５′を設けて重いゴミ袋や重い分別ゴミ類を積載して搬出できるようにしたものである。【００１０】  図７に示されている実施例は、ゴミの入ったゴミ袋や分別ゴミ類を台座２に積載できる状態を示すものであり、本体フレーム１を直立にした状態において台座２が水平に開いて定置する。しかも、台座２を地面に近くになるように設けているので重い物も非常に積載し易く台座２からの搬出も容易であり、また、台座２を支持する左右の支え棒６、６′は積載、及び運搬時においては本体フレーム１の前面に位置するため落下を防ぐ役をも有する。また、運搬する時は、水平に開いた状態の台座２にゴミの入ったゴミ袋や分別ゴミ類を積載して、本体フレーム１を運搬者側に傾斜させ、本体フレーム１の左右の下端と台座２の左右の脚部２４、２４′が地面と離れるように車輪１２、１２′を地面に接地させて押し引きして運搬するものである。【００１１】  図８に示されている実施例は、本体フレーム１を直立させて台座２を折り畳んだ状態を示すものである。本体フレーム１の下方に取り付けられている左右の車輪１２、１２′は地面より上方に位置し、本体フレーム１の左右の下端は地面に接地した状態であるので運搬車を直立にしたまま動かずに安定して保管することができる。また、台座２の折り畳みでは台座２を支持する左右の支え棒６、６′が本体フレーム１の側面に位置するためコンパクトに収納できるものであり、各部の係合と連係によって台座２の積載と折り畳み、及び落下の防止がワンタッチ操作で形成して成る機能と構造を有し、安定してゴミ収集場所まで搬出できる利便性の高い運搬車である。
【産業上の利用可能性】
【００１２】  本発明は、ゴミの入ったゴミ袋や指定された分別ゴミ類を複数個積載することができ、また、長物や重い物も容易に積載して指定されたゴミ収集場所まで簡単にして手軽に運搬することができるものであり、構成する各部の係合と連係によって台座の積載と折り畳み、及び落下の防止がワンタッチ操作で形成する機能と構造を有するものであるため、その使用においては高齢者に対しても非常に簡単であり、手軽に利用することができる運搬車である。特に、重いゴミ袋や重い分別ゴミ類、及び、長物や複数のゴミ袋の搬出においては相当の肉体的負担と時間を強いられ、また、雨の日などのゴミ出しは憂鬱さえ感じるものである。また、代用車として自転車や一輪車、台車やカート類、及び自動車などを利用してゴミ袋や分別ゴミ類を搬出する人もいるが、ゴミ出し専用に作られたものではないので、その機能性は乏しく、利便性は低いものであり、特に、自転車や一輪車、台車やカート類でのゴミ出し運搬は不安定であり、事故に遭う危険性が高く、また、それらの利用者も年齢や環境条件に限りがあり少数である。従来からゴミ出し専用の運搬車がないため、現在においても、重いゴミ袋や重い分別ゴミ類、及び複数個のゴミ袋のゴミ収集場所までの搬出は遠近に関係なく、老若男女問わず苦労している。運搬車は上記したようにワンタッチ操作で簡単、便利に利用することができるもので、一般家庭のゴミ出し専用として誰でも手軽に利用できるように作られたものであり、また、高齢化社会においては、その必要性は急務であるため、産業上の利用可能性は高く、社会に貢献できる利便性の高い運搬車である。
【図面の簡単な説明】
【００１３】
【図１】    正面図である。
【図２】    背面図である。
【図３】    右側面図である。
【図４】    左側面図である。
【図５】    平面図である。
【図６】    底面図である。
【図７】    斜視図である。
【図８】    台座を折り畳んだ状態を示す斜視図である。
【符号の説明】
【００１４】１            本体フレーム
２            台座
３            ネット
４、４′      ガードフレーム
５、５′      受け具
６、６′      支え棒
７、７′      受け具孔
８、８′      留め具
９、９′      係止具
１０、１０′  車軸板
１１          車軸
１２、１２′  車輪
１３、１３′  台座取り付け板
１４、１４′  留め金具
１５、１５′  突設板
１６、１６′  バネ取り付け板
１７、１７′  台座バネ取り付け板
１８、１８′  バネ
１９、１９′  支え棒取り付け板
２０、２０′  支え棒取り付け孔
２１          台座板
２２          留め板
２３          台座板留め具
２４、２４′  脚部
２５、２５′  補強板
【図１】
2005289344.tif 000003
【図２】
2005289344.tif 000004
【図３】
2005289344.tif 000005
【図４】
2005289344.tif 000006
【図５】
2005289344.tif 000007
【図６】
2005289344.tif 000008
【図７】
2005289344.tif 000009
【図８】
2005289344.tif 000010
【手続補正書】
【提出日】平成16年5月25日(2004.5.25)
【手続補正１】
【補正対象書類名】図面
【補正対象項目名】全図
【補正方法】変更
【補正の内容】
【図１】
2005289344.tif 000011
【図２】
2005289344.tif 000012
【図３】
2005289344.tif 000013
【図４】
2005289344.tif 000014
【図５】
2005289344.tif 000015
【図６】
2005289344.tif 000016
【図７】
2005289344.tif 000017
【図８】
2005289344.tif 000018
【手続補正書】
【提出日】平成16年6月4日(2004.6.4)
【手続補正１】
【補正対象書類名】図面
【補正対象項目名】図６
【補正方法】変更
【補正の内容】
【図６】
2005289344.tif 000019
【手続補正２】
【補正対象書類名】図面
【補正対象項目名】図７
【補正方法】変更
【補正の内容】
【図７】
2005289344.tif 000020
【手続補正書】
【提出日】平成16年6月18日(2004.6.18)
【手続補正１】
【補正対象書類名】図面
【補正対象項目名】図６
【補正方法】変更
【補正の内容】
【図６】
2005289344.tif 000021